(57)【要約】【課題】接続端子サイズにとらわれずに共用可能となる端子カバーを提供する。【解決手段】蓋体５の後カバー１６における天井壁２３の内面２７には、一対の板バネ形状の加締め押さえ部２８が形成されている。この一対の加締め押さえ部２８は、接続端子３の電線接続部２９の幅方向で所定の間隔に配置されている。一対の加締め押さえ部２８は、板バネ形状であることから可撓性を有しており、電線接続部２９の幅方向外側に開くように形成されている。すなわち、ハ字状に開いて加締め部３０に接触するように形成されている。一対の加締め押さえ部２８は、ハ字状に開くと、この復元力によって加締め部３０を押さえ付けることができるように形成されている。【選択図】図３
2008071655.tif 000002
【特許請求の範囲】
【請求項１】
電線の端末に取り付けられた状態でボルトナット型固定端子に接続される接続端子を絶縁及び保護するための合成樹脂製の端子カバーであって、
端子保護部及び電線保護部を有する本体と、該本体を覆う蓋体とを含み、該蓋体の内面に前記接続端子における電線接続部の加締め部を押さえる加締め押さえ部を有する端子カバーにおいて、
前記加締め押さえ部を、前記加締め部の幅方向で所定の間隔に配置するとともに、前記加締め部に接触するとこの接触した状態で前記幅方向外側に開く一対の板バネ形状に形成する
ことを特徴とする端子カバー。
【請求項２】
請求項１に記載の端子カバーにおいて、
前記板バネ形状の一対の加締め押さえ部を、前記加締め部に向けて前記内面から真っ直ぐにのびるように形成する
ことを特徴とする端子カバー。
【請求項３】
請求項１又は請求項２に記載の端子カバーにおいて、
前記板バネ形状の一対の加締め押さえ部に、前記幅方向外側に向く誘導面をそれぞれ形成する
ことを特徴とする端子カバー。
【請求項４】
請求項１ないし請求項３いれか記載の端子カバーにおいて、
前記板バネ形状の一対の加締め押さえ部の間に、前記内面から突出し前記幅方向にのびて前記加締め部に非接触となる壁部を形成する
ことを特徴とする端子カバー。
【請求項５】
請求項１ないし請求項４いずれか記載の端子カバーにおいて、
前記板バネ形状の一対の加締め押さえ部の間に、可撓性を有して前記加締め部に接触する第二加締め押さえ部を形成する
ことを特徴とする端子カバー。
【請求項６】
請求項５に記載の端子カバーにおいて、
前記第二加締め押さえ部の先端部を、前記加締め部の端子軸方向にのびる凹部に差し込む形状に形成する
ことを特徴とする端子カバー。
【発明の詳細な説明】
【技術分野】
【０００１】
本発明は、本体と蓋体とを有して接続端子を絶縁及び保護する合成樹脂製の端子カバーに関し、詳しくは、蓋体の内面に接続端子の加締め部を押さえる加締め押さえ部を有する端子カバーに関する。
【背景技術】
【０００２】
例えば車両に搭載される機器等の端子は、振動を受けても緩みが生じないように、電線端末の接続端子をボルト及びナットで締め付けて接続する構造を有している。このようなボルト及びナットで締め付けた接続部分を外力から保護し且つ絶縁するためには、接続端子に端子カバーを設けることが一般的である（例えば下記特許文献１、２参照）。
【０００３】
図１７ないし図２２を参照しながら従来の端子カバーについて説明する。従来の端子カバー１０１は、本体１０２と、この本体１０２に一体となる蓋体１０３とを備えて構成されている。端子カバー１０１は、絶縁性を有する合成樹脂材料を用いて成形されている。
【０００４】
本体１０２は、端子保護部１０４と電線保護部１０５の二つの部分を有している。端子保護部１０４は、例えば機器側に設けられるボルトナット型の固定端子１０６を囲むような形状に形成されている。端子保護部１０４は、環状に形成されている。電線保護部１０５は、固定端子１０６に接続される接続端子１０７と電線１０８の端末部分との接続がなされる電線端末接続部分を収納することができるように形成されている。
【０００５】
接続端子１０７は、上記電線端末接続部分を構成する電線接続部１０９と、この電線接続部１０９に連続する端子本体１１０とを有している。端子本体１１０は、板状に形成されている。端子本体１１０の中央には、固定端子１０６のボルト部分１１１を挿通する貫通孔１１２が形成されている。
【０００６】
蓋体１０３は、端子保護部１０４の上面開口を覆う前カバー１１３と、電線保護部１０５の上面開口を覆う後カバー１１４とを有している。後カバー１１４は、この一側壁が電線保護部１０５の一側縁にヒンジ１１５を介して開閉自在に連結されている。前カバー１１３は、この後縁が後カバー１１４の前縁にヒンジ１１６を介して開閉自在に連結されている。前カバー１１３は、これを開いた状態で、固定端子１０６のボルト部分１１１にナット１１７を締め付けることができるように形成されている。
【０００７】
後カバー１１４の他側壁には、係止枠１１８が形成されている。また、電線保護部１０５の他側縁には、係止突起１１９が形成されている。後カバー１１４を閉じて電線保護部１０５を覆うと、係止枠１１８と係止突起１１９とに引っ掛かり合いが生じ、これによって後カバー１１４は閉止状態が保持されるようになっている。
【０００８】
後カバー１１４の内面１２４には、断面視コ字状の加締め押さえ部１２５が形成されている。加締め押さえ部１２５は、後カバー１１４を閉じて電線保護部１０５を覆った状態において、接続端子１０７における電線接続部１０９の加締め部分に接触してこの加締め部分を押さえることができるように形成されている。
【０００９】
端子保護部１０４の両側縁には、前カバー１１３を閉止状態にした時に、前カバー１１３の両側壁の外側に位置するような一対の狭持壁１２０が形成されている。この各狭持壁１２０の内面下部には、係止孔１２１が形成されている。一方、前カバー１１３の両側壁の外側下部には、前カバー１１３を閉止状態にした時に、係止孔１２１に係止される係止突起１２２が形成されている。係止孔１２１と係止突起１２２は、端子保護部１０４と前カバー１１３との係止機構を構成する部分として形成されている。
【００１０】
前カバー１１３の両側壁には、切り込み部１２３が形成されている。この切り込み部１２３は、係止突起１２１の近傍に形成されている。前カバー１１３の両側壁は、切り込み部１２３によって部分的に撓み易くなるように形成されている。
【００１１】
上記構成に基づいて、端子カバー１０１の組み立て及び使用形態を説明する。先ず、予め電線１０８の端末に接続した接続端子１０７に端子カバー１０１を装着する。具体的には、電線保護部１０５に対し、後カバー１１４を開いた状態にする。そして、上記電線端末接続部分を電線保護部１０５に収納し、後カバー１１４を閉じる。
【００１２】
この時、接続端子１０７の端子本体１１０は、端子保護部１０４内に位置する。後カバー１１４を閉じると、コ字状の加締め押さえ部１２５は、電線接続部１０９の加締め部分に接触して加締め部分を押さえ付ける。
【００１３】
前カバー１１３は、開いたままでは不安定で損傷しやすいことから、次に前カバー１１３を閉じた状態にする（上記係止機構によって前カバー１１３を端子保護部１０４にロックする）。前カバー１１３は、閉じた状態で次の組み立て工程へ搬入される。
【００１４】
組み立て工程では、先ず、作業員が電線１０８を持ちながら端子カバー１０１を先にして狭いスペースに差し込み、電線１０８を配索する作業を行う。電線１０８の配索は、固定端子１０６を目指して行う。端子カバー１０１に保護された接続端子１０７が固定端子１０６に近づくと、次に、前カバー１１３と端子保護部１０４とのロックを解除して前カバー１１３を開く。
【００１５】
続いて、接続端子１０７の端子本体１１０を固定端子１０６のボルト部分１１１に嵌挿し、この状態でナット１１７を締め付ける作業を行う。接続端子１０７と固定端子１０６との接続が完了したら、前カバー１１３を閉じる作業を行う（前カバー１１３を端子保護部１０４にロックする）。以上により一連の作業が完了する。
【特許文献１】実開平６−５４２２２号公報
【特許文献２】特開平６−２６７６００号公報
【発明の開示】
【発明が解決しようとする課題】
【００１６】
従来の端子カバー１０１は、接続端子１０７のサイズ（言い換えれば電線１０８のサイズ）に応じて各種のものが用意されている。しかしながら、接続端子１０７のサイズに応じて端子カバー１０１をそれぞれ用意するのでは、部品管理が煩雑になる等の様々な問題点が生じてしまうことになる。そこで、接続端子１０７のサイズにとらわれないような、共用可能となる端子カバーの提供が強く要望されるようになってきている。
【００１７】
端子カバーの共用化を図る場合に問題となるのは、上記端子カバー１０１の例で指摘すると、加締め押さえ部１２５の形状（コ字状）である。電線１０８のサイズが異なると、接続端子１０７の電線接続部１０９の加締め部分も幅Ｗ及び高さＨが当然に異なってくることから、コ字状の加締め押さえ部１２５では、高さＨの低い電線接続部１０９（電線１０８のサイズが小）に合わせて加締め押さえ部１２５を長く形成すると、高さＨの高い電線接続部１０９（電線１０８のサイズが大）には長すぎて後カバー１１４を閉じることができない等の不具合が生じてしまうからである。
【００１８】
また、逆に高さＨの高い電線接続部１０９（電線１０８のサイズが大）に合わせて加締め押さえ部１２５を短く形成すると、高さＨの低い電線接続部１０９（電線１０８のサイズが小）では、高さ方向Ｐ及び幅方向Ｑに接続端子１０７がガタ付いてしまうという不具合が発生してしまうことになる。従って、コ字状の加締め押さえ部１２５では、端子カバーの共用化を図ることが困難であるということが言える。
【００１９】
本発明は、上述した事情に鑑みてなされたもので、接続端子サイズにとらわれずに共用可能となる端子カバーを提供することを課題とする。
【課題を解決するための手段】
【００２０】
上記課題を解決するためになされた請求項１記載の本発明の端子カバーは、電線の端末に取り付けられた状態でボルトナット型固定端子に接続される接続端子を絶縁及び保護するための合成樹脂製の端子カバーであって、端子保護部及び電線保護部を有する本体と、該本体を覆う蓋体とを含み、該蓋体の内面に前記接続端子における電線接続部の加締め部を押さえる加締め押さえ部を有する端子カバーにおいて、前記加締め押さえ部を、前記加締め部の幅方向で所定の間隔に配置するとともに、前記加締め部に接触するとこの接触した状態で前記幅方向外側に開く一対の板バネ形状に形成することを特徴としている。
【００２１】
このような特徴を有する本発明によれば、接続端子を本体に収納して蓋体を閉じると、板バネ形状の一対の加締め押さえ部が接続端子の加締め部に接触した状態で加締め部の幅方向外側に開く。板バネ形状の一対の加締め押さえ部が前記幅方向外側に開いて、すなわちハ字状に開いて加締め部に接触することにより、接続端子は加締め部の位置で幅方向及び高さ方向から押さえ付けられる。接続端子はこの押さえ付けによって、加締め部の高さ方向及び幅方向のガタ付きが同時に防止される。本発明は、このような一対の板バネ形状に加締め押さえ部を形成することから、接続端子のサイズが異なってもこの違いによる影響を吸収することが可能になる。従って、本発明の端子カバーは、接続端子サイズにとらわれずに共用可能なものとなる。
【００２２】
加締め部の断面を見ると二つの山を有する形状になることから、本発明において、一対の加締め押さえ部の所定の間隔は、対応する接続端子サイズが大きい場合を考慮して、二つの山の頂点間隔に合わせて設定されるものとする。また、対応する端子サイズが小さい場合も考慮して、加締め部の幅に合わせて設定されるものとする。
【００２３】
接続端子サイズが小さい場合には、押さえ付けの力が小さくて済む。このことから、板バネ形状の一対の加締め押さえ部のハ字状の開きは小さくても十分になる。一方、接続端子サイズが大きい場合には、大きな押さえ付けの力が必要になるが、本発明は一対の加締め押さえ部が大きくハ字状の開くことから、これにも対応することができることになる。
【００２４】
請求項２記載の本発明の端子カバーは、請求項１に記載の端子カバーにおいて、前記板バネ形状の一対の加締め押さえ部を、前記加締め部に向けて前記内面から真っ直ぐにのびるように形成することを特徴としている。
【００２５】
このような特徴を有する本発明によれば、予めハ字状に開いたものを形成するよりも、接続端子を押さえ付ける力が大きくなり、より確実にガタ付きを防止することが可能になる。板バネ形状の一対の加締め押さえ部が真っ直ぐに形成されることは、成形金型にスライド金型を用いなくても良く、金型構造を簡素化することができるという利点もある。
【００２６】
請求項３記載の本発明の端子カバーは、請求項１又は請求項２に記載の端子カバーにおいて、前記板バネ形状の一対の加締め押さえ部に、前記幅方向外側に向く誘導面をそれぞれ形成することを特徴としている。
【００２７】
このような特徴を有する本発明によれば、板バネ形状の一対の加締め押さえ部が接続端子の加締め部に接触すると、一対の加締め押さえ部は誘導面を有することから、この誘導面により加締め部の幅方向外側に開く。一対の加締め押さえ部が加締め部の幅方向外側に確実に開くことにより、一対の加締め押さえ部の破損が防止される。誘導面は、この形成により、一対の加締め押さえ部の補強部分としても機能する。
【００２８】
請求項４記載の本発明の端子カバーは、請求項１ないし請求項３いれか記載の端子カバーにおいて、前記板バネ形状の一対の加締め押さえ部の間に、前記内面から突出し前記幅方向にのびて前記加締め部に非接触となる壁部を形成することを特徴としている。
【００２９】
このような特徴を有する本発明によれば、板バネ形状の一対の加締め押さえ部が仮に幅方向内側に撓むような力を受けても、内側への撓みが規制される。内側への撓みが規制されれば、不具合が生じた状態で蓋体が閉じられてしまうようなことは避けられる。
【００３０】
請求項５記載の本発明の端子カバーは、請求項１ないし請求項４いずれか記載の端子カバーにおいて、前記板バネ形状の一対の加締め押さえ部の間に、可撓性を有して前記加締め部に接触する第二加締め押さえ部を形成することを特徴としている。
【００３１】
このような特徴を有する本発明によれば、接続端子を本体に収納して蓋体を閉じると、第二加締め押さえ部は接続端子の加締め部に接触する。第二加締め押さえ部は、板バネ形状の一対の加締め押さえ部による押さえ付けを補助するように作用する。本発明によれば、より確実にガタ付きを防止することが可能になる。
【００３２】
請求項６記載の本発明の端子カバーは、請求項５に記載の端子カバーにおいて、前記第二加締め押さえ部の先端部を、前記加締め部の端子軸方向にのびる凹部に差し込む形状に形成することを特徴としている。
【００３３】
このような特徴を有する本発明によれば、接続端子を本体に収納して蓋体を閉じると、第二加締め押さえ部の先端部が加締め部の凹部に差し込まれる。これにより、第二加締め押さえ部自体の位置ズレは防止され、第二加締め押さえ部の機能が維持される。
【発明の効果】
【００３４】
請求項１に記載された本発明によれば、接続端子サイズにとらわれずに共用可能となる端子カバーを提供することができるという効果を奏する。また、請求項２に記載された本発明によれば、極力大きな力で接続端子を押さえ付けてガタ付きをより確実に防止することができるという効果を奏する。
【００３５】
また、請求項３、請求項４に記載された本発明によれば、それぞれ、板バネ形状の一対の加締め押さえ部の機能維持に貢献することができるという効果を奏する。
【００３６】
また、請求項５に記載された本発明によれば、接続端子の押さえ付けを補助することができるという効果を奏する。また、請求項６に記載された本発明によれば、第二加締め押さえ部の機能維持に貢献することができるという効果を奏する。
【発明を実施するための最良の形態】
【００３７】
以下、図面を参照しながら説明する。図１は本発明の端子カバーの一実施の形態を示す斜視図（蓋体を閉じる直前の斜視図）である。また、図２は端子カバーの斜視図（図１の蓋体を閉じた状態）、図３は図１のＡ−Ａ線断面図（係止枠部分での断面図）、図４は図２のＢ−Ｂ線断面図（係止突起部分での断面図）、図５は接続端子のサイズが小さい場合の状態を示す断面図、図６は壁部の機能について説明するための断面図である。
【００３８】
図１及び図２において、引用符号１は本発明の端子カバーを示している。端子カバー１は、電線２の端末と、この端末に設けられる接続端子３とに跨るように取り付けられている。接続端子３は、端子カバー１を取り付けた状態で、例えば車両におけるスタータのボルトナット型固定端子に接続されるようになっている。端子カバー１は、接続端子３とボルトナット型固定端子との接続部分を絶縁及び保護することができるように形成されている。以下、図１ないし図６を参照しながら詳細に説明する。
【００３９】
端子カバー１は、絶縁性を有する合成樹脂材料を用いて成形されている。端子カバー１は、本体４と、この本体４を覆う蓋体５とを備えて構成されている。本体４は、端子保護部６と電線保護部７とを有している。端子保護部６は、平面視略Ｕ字状に形成されている。端子保護部６は、上面開口及び下面開口を有するように形成されている。端子保護部６は、湾曲側壁８及びこれに連続する一対の側壁９を有している。一対の側壁９には、それぞれ蓋体５（前カバー）に対する係止突起１０が形成されている。
【００４０】
電線保護部７は、底壁１１と、端子保護部６の一対の側壁９にそれぞれ連続する側壁１２と、後壁とを有している。電線保護部７は、端子保護部６側の連続部分が開口するとともに上面が開口する略箱状に形成されている。このような電線保護部７の底壁１１には、略リブ状の端子座部１３が複数形成されている。一方の側壁１２には、蓋体５を連結するヒンジ１４が複数形成されている。他方の側壁１２には、蓋体５（後カバー）に対する係止突起１０が複数形成されている。後壁には、半円形の電線引き出し部が形成されている。
【００４１】
蓋体５は、端子保護部６の上面開口を覆う前カバー１５と、電線保護部７の上面開口を覆う後カバー１６とを有している。前カバー１５は、この後縁が後カバー１６の前縁にヒンジ１７を介して開閉自在に連結されている。前カバー１５は、天井壁１８と、湾曲側壁１９と、この湾曲側壁１９に連続する一対の側壁２０とを有している。天井壁１８には、後カバー１６に引っ掛かり係止される係止突起２１が形成されている。前カバー１５は、係止突起２１が後カバー１６に引っ掛かり係止されると、前カバー１５の開いた状態が維持されるようになっている。各側壁２０には、端子保護部６の係止突起１０に引っ掛かる係止枠２２が形成されている。
【００４２】
後カバー１６は、天井壁２３と、一対の側壁２４と、後壁２５とを有している。後カバー１６は、前カバー１５側の連続部分が開口するとともに下面が開口する略箱状に形成されている。一方の側壁２４には、ヒンジ１４が複数連成されている。他方の側壁２４には、電線保護部７の係止突起１０に引っ掛かる係止枠２２が複数形成されている。係止枠２２は、本体４の係止突起１０の位置に合わせて形成されている。後壁２５には、半円形の電線引き出し部２６が形成されている。電線引き出し部２６は、本体４の電線引き出し部と重なり合うように配置形成されている。
【００４３】
後カバー１６の天井壁２３の内面２７には、一対の板バネ形状の加締め押さえ部２８が形成されている。この一対の加締め押さえ部２８は、一対の側壁２４間の方向（接続端子３の電線接続部２９の幅方向）で所定の間隔に配置されている。ここで、所定の間隔について説明すると、対応する接続端子サイズが大きい場合を考慮して、加締め部３０の二つの山の頂点間隔よりも若干広くなるように設定されている。また、対応する端子サイズが小さい場合も考慮して、加締め部３０′の幅よりも若干狭くなるように設定されている。
【００４４】
一対の加締め押さえ部２８は、加締め部３０（３０′）に向けて天井壁２３の内面２７から真っ直ぐにのびるように形成されている。一対の加締め押さえ部２８の各先端内側には、テーパ面３１が形成されている。テーパ面３１は、加締め部３０（３０′）に当接してこれを摺接するような形状に形成されている。
【００４５】
一対の加締め押さえ部２８は、板バネ形状であることから可撓性を有しており、電線接続部２９の幅方向外側に開くように形成されている。すなわち、ハ字状に開いて加締め部３０（３０′）に接触するように形成されている。一対の加締め押さえ部２８は、ハ字状に開くと、この復元力によって加締め部３０（３０′）を押さえ付けることができるように形成されている（可撓性を有する一対の加締め押さえ部２８は、押さえ付けに必要な剛性を有するものとする）。
【００４６】
一対の加締め押さえ部２８の間には、天井壁２３の内面２７から突出して電線接続部２９の幅方向にのびる壁部３２が形成されている。壁部３２は、略リブ状の壁であって加締め部３０（３０′）に対し非接触となるように形成されている。壁部３２は、一対の加締め押さえ部２８が内側に一定量撓んでしまわないようにするために形成されている（一対の加締め押さえ部２８が仮に幅方向内側に撓むような力を受けても、内側への撓みが規制される。内側への撓みが規制されれば、不具合が生じた状態で蓋体５が閉じられてしまうようなことは避けられる）。尚、壁部３２の形成は任意であるものとする。壁部３２の他の機能については後述する。
【００４７】
引用符号３３は可撓性を有する一対の電線押さえ部を示している。また、引用符号３４は前カバー１５の係止突起２１が引っ掛かる係止孔を示している。
【００４８】
上記構成に基づいて、端子カバー１の組み立て及び使用形態を説明する。先ず、予め電線２の端末に接続した接続端子３に端子カバー１を装着する。具体的には、端子保護部６に対して前カバー１５を開いた状態にするとともに、電線保護部７に対して後カバー１６も開いた状態にし、そして、この状態から接続端子３の端子本体３５を端子保護部６に収納するとともに、電線端末接続部分を電線保護部７に収納し、最後に前カバー１５及び後カバー１６を閉じることにより端子カバー１の装着が完了する。
【００４９】
端子カバー１は、後カバー１６を閉じることにより、一対の加締め押さえ部２８が加締め部３０（３０′）を摺接してハ字状に開く。このハ字状の開きにより復元しようとする力が生じて加締め部３０（３０′）は押さえ付けられる（端子サイズの大きい加締め部３０に対しては大きく開いて押さえ付けがなされる。また、端子サイズの小さい加締め部３０′に対しては小さく開いて押さえ付けがなされる）。
【００５０】
ハ字状に開くことにより生じる復元力は、加締め部３０（３０′）に対して斜め上方向から作用する。従って、加締め部３０（３０′）の高さ方向及び幅方向のガタ付きが同時に防止される。
【００５１】
本発明は、接続端子３のサイズが異なってもこの違いによる影響を吸収することができる。本発明の端子カバー１は、接続端子サイズにとらわれずに共用可能なものとなる。
【００５２】
次に、図７及び図８を参照しながら本発明の端子カバーの他の一実施の形態を説明する。図７は他の一実施の形態を示す断面図（接続端子のサイズが小さい場合）、図８は図７に対し接続端子のサイズが大きい場合の断面図である。
【００５３】
図７及び図８において、他の一実施の形態となる端子カバー４１は、上述の形態の端子カバー１に対して第二加締め押さえ部４２を形成した点のみが異なっている。以下、第二加締め押さえ部４２に関する部分について説明する。
【００５４】
第二加締め押さえ部４２は、可撓性を有する板バネ形状であって、一対の加締め押さえ部２８の間に形成されている。第二加締め押さえ部４２は、後カバー１６の軸上で天井壁２３の内面２７から接続端子３の加締め部３０（３０′）に向けて真っ直ぐに伸びるように形成されている。第二加締め押さえ部４２は、一対の加締め押さえ部２８に対して略平行となるように形成されている。
【００５５】
第二加締め押さえ部４２の長さは、端子サイズの小さい加締め部３０′の二つの山の頂点間に存在する凹部４３（二つの山の頂点間に形成され端子軸方向に伸びる凹部）に対して先端が差し込まれるような長さに設定されている。第二加締め押さえ部４２は長さが長く設定され、このことから加締め部３０にも当然に対応可能な長さに設定されている。
【００５６】
第二加締め押さえ部４２は、この先端が加締め部３０（３０′）に接触して加締め部３０（３０′）を押さえ付ける機能を有している。後述するが、第二加締め押さえ部４２は、接続端子のサイズが大きい場合に、加締め部３０の幅方向に湾曲しつつ加締め部３０を押さえ付けるようになっている。本形態において、一対の加締め押さえ部２８の押さえ付けを主とすると、第二加締め押さえ部４２はこれを補助するような部分になっている。尚、第二加締め押さえ部４２の図中の手前には、特に限定するものでないが、壁部３２（図４参照）が存在しているものとする。
【００５７】
上記構成に基づいて、第二加締め押さえ部４２の作用を説明する。端子カバー４１は、後カバー１６を閉じることにより、一対の加締め押さえ部２８が加締め部３０（３０′）を摺接してハ字状に開く。このハ字状の開きにより復元しようとする力が生じて加締め部３０（３０′）は押さえ付けられる（端子サイズの大きい加締め部３０に対しては大きく開いて押さえ付けがなされる。端子サイズの小さい加締め部３０′に対しては小さく開いて押さえ付けがなされる）。また、後カバー１６を閉じることにより、第二加締め押さえ部４２が凹部４３に差し込まれて加締め部３０（３０′）は押さえ付けられる。第二加締め押さえ部４２は、端子サイズの大きい加締め部３０に対して湾曲しつつ押さえ付けがなされ、端子サイズの小さい加締め部３０′に対しては真っ直ぐの状態で押さえ付けがなされる。
【００５８】
従って、一対の加締め押さえ部２８により加締め部３０（３０′）の高さ方向及び幅方向のガタ付きが同時に防止される。また、第二加締め押さえ部４２によっても加締め部３０（３０′）の高さ方向のガタ付きが防止される（ガタ付きの防止が補助される）。
【００５９】
端子カバー４１は、上述の形態と同様、接続端子３のサイズ違いによる影響を吸収することができる。端子カバー４１は、接続端子サイズにとらわれずに共用可能なものとなる。
【００６０】
続いて、図９ないし図１２を参照しながら本発明の端子カバーの更に他の一実施の形態を説明する。図９は更に他の一実施の形態を示す断面図、図１０は、図１１は、図１２はである。
【００６１】
図９ないし図１２において、更に他の一実施の形態となる端子カバー５１は、上述の形態における端子カバー４１の第二加締め押さえ部４２の形状が異なったものとなっている。すなわち、端子カバー５１は、図中に示すような第二加締め押さえ部５２を有している。以下、第二加締め押さえ部５２に関する部分について説明する。
【００６２】
第二加締め押さえ部５２は、可撓性を有する板バネ形状であって、一対の加締め押さえ部２８の間に形成されている。第二加締め押さえ部５２は、可撓部分５３と、この可撓部分５３に連続する押さえ付け部分５４とを有して略Ｌ字状に形成されている。第二加締め押さえ部５２は、後カバー１６の天井壁２３の内面２７から接続端子３の加締め部３０（３０′の方は図示省略）に向けて伸びるように形成されている。可撓部分５３は、この一端が天井壁２３の内面２７に連成されている。可撓部分５３は、一対の加締め押さえ部２８に対して略直交するように配置形成されている。可撓部分５３は、短冊状の板片となるように形成されている。可撓部分５３は、加締め部３０の軸方向に撓むようになっている。
【００６３】
押さえ付け部分５４は、可撓部分５３の他端に連成されている。押さえ付け部分５４は、可撓部分５３の他端に対して直交するように連成されている。尚、押さえ付け部分５４と可撓部分５３との連続部分は、エッジでなく曲面が形成されている。これは加締め部３０を摺接し易くするためである。押さえ付け部分５４は、加締め部３０の二つの山に跨って接触するように形成されている。
【００６４】
引用符号５５は第二加締め押さえ部５２を成形するために生じる型抜き孔を示している。型抜き孔５５は、後カバー１６の天井壁２３の中間を開口するように形成されている。型抜き孔５５は、前カバー１５の係止突起２１を引っ掛かけるための係止孔の機能も有している。
【００６５】
上記構成に基づいて、第二加締め押さえ部５２の作用を説明する。端子カバー５１は、後カバー１６を閉じることにより、一対の加締め押さえ部２８が加締め部３０を摺接してハ字状に開く。このハ字状の開きにより復元しようとする力が生じて加締め部３０は押さえ付けられる（端子サイズの大きい加締め部３０に対しては大きく開いて押さえ付けがなされる。端子サイズの小さい加締め部（３０′）に対しては小さく開いて押さえ付けがなされる）。また、後カバー１６を閉じることにより、第二加締め押さえ部５２が加締め部３０の軸方向に撓わんで加締め部３０は押さえ付けられる（端子サイズの大きい加締め部３０に対しては大きく撓んで押さえ付けがなされる。端子サイズの小さい加締め部（３０′）に対しては小さく撓んで押さえ付けがなされる）。
【００６６】
従って、一対の加締め押さえ部２８により加締め部３０（３０′）の高さ方向及び幅方向のガタ付きが同時に防止される。また、第二加締め押さえ部５２によっても加締め部３０（３０′）の高さ方向のガタ付きが防止される（ガタ付きの防止が補助される）。
【００６７】
端子カバー５１は、上述の形態と同様、接続端子３のサイズ違いによる影響を吸収することができる。端子カバー５１は、接続端子サイズにとらわれずに共用可能なものとなる。
【００６８】
続いて、図１３及び図１４を参照しながら変形例を説明する。図１３は板バネ形状の一対の加締め押さえ部の変形例を示す端子カバーの断面図である。また、図１４は図１３の加締め押さえ部の平面図である。
【００６９】
図１３及び図１４において、一対の加締め押さえ部２８には、加締め部３０（３０′の方は図示省略）の幅方向外側に向く誘導面５６がそれぞれ形成されている。また、第二加締め押さえ部５２の押さえ付け部分５４には、凸部５７と一対の押さえ片５８とが形成されている。
【００７０】
誘導面５６は、後カバー１６の天井壁２３の内面２７近傍から加締め押さえ部２８の先端にかけて形成されている。誘導面５６は、テーパ面状となる形状に形成されている。誘導面５６は、一対の加締め押さえ部２８が加締め部３０の幅方向外側に確実に開くようにするために形成されている。一対の加締め押さえ部２８が幅方向外側に確実に開くことにより、この破損が防止されるようになっている。誘導面５６は、一対の加締め押さえ部２８の補強部分としても機能するようになっている。
【００７１】
凸部５７は、加締め部３０の二つの山の頂点間に存在する凹部４３に差し込まれるような形状に形成されている（凸部５７は、第二加締め押さえ部５２の先端部となる）。一対の押さえ片５８は、加締め部３０の二つの山の頂点近傍に接触してこれを押さえ付けるように形成されている。凸部５７と一対の押さえ片５８は、この形成によって加締め部３０（３０′）の幅方向のガタ付きを防止することが可能になるという利点を有している（ガタ付きの防止が補助される）。
【００７２】
続いて、図１５及び図１６を参照しながら壁部の他の機能について説明する。図１５は端子カバーの断面図である。図１６は壁部の機能について説明するための断面図である。
【００７３】
図１５及び図１６において、端子カバー５１には、第二加締め押さえ部５２の成形のために型抜き孔５５が存在することから、この型抜き孔５５を介して例えば導電性の工具５９が誤って内部に差し込まれてしまう恐れがある。しかしながら、本発明においては、壁部３２が型抜き孔５５の開口近傍に形成されることから、これが差し込み防止用の壁として機能することになる。従って、壁部３２は上述の機能の他に、導電性の工具５９等の差し込みを防止して電気的な接触を生じさせないような機能も有している。
【００７４】
その他、本発明は本発明の主旨を変えない範囲で種々変更実施可能なことは勿論である。
【図面の簡単な説明】
【００７５】
【図１】本発明の端子カバーの一実施の形態を示す斜視図（蓋体を閉じる直前の斜視図）である。
【図２】端子カバーの斜視図（図１の蓋体を閉じた状態）である。
【図３】図１のＡ−Ａ線断面図（係止枠部分での断面図）である。
【図４】図２のＢ−Ｂ線断面図（係止突起部分での断面図）である。
【図５】接続端子のサイズが小さい場合の状態を示す断面図である。
【図６】壁部の機能について説明するための断面図である。
【図７】本発明の端子カバーの他の一実施の形態を示す断面図（接続端子のサイズが小さい場合）である。
【図８】図７に対し接続端子のサイズが大きい場合の断面図である。
【図９】本発明の端子カバーの更に他の一実施の形態を示す斜視図（蓋体を閉じる直前の斜視図）である。
【図１０】端子カバーの斜視図（図９の蓋体を閉じた状態）である。
【図１１】図９のＣ−Ｃ線断面図（係止枠部分での断面図）である。
【図１２】図１０のＤ−Ｄ線断面図（係止突起部分での断面図）である。
【図１３】板バネ形状の一対の加締め押さえ部の変形例を示す端子カバーの断面図である。
【図１４】図１３の加締め押さえ部の平面図である。
【図１５】端子カバーの断面図である。
【図１６】壁部の機能について説明するための断面図である。
【図１７】従来例の端子カバーの斜視図である。
【図１８】従来例の端子カバーの前カバーを全開にした状態の斜視図である。
【図１９】従来例の端子カバーの断面図である。
【図２０】従来例の端子カバーの断面図である。
【図２１】従来例の端子カバーの後カバーを全開にした状態の断面図である。
【図２２】従来例の端子カバーにより保護される接続端子の平面図である。
【符号の説明】
【００７６】
１  端子カバー
２  電線
３  接続端子
４  本体
５  蓋体
６  端子保護部
７  電線保護部
１６  後カバー（蓋体）
２７  内面
２８  加締め押さえ部
２９  電線接続部
３０、３０′  加締め部
３２  壁部
４１  端子カバー
４２  第二加締め押さえ部
４３  凹部
５１  端子カバー
５２  第二加締め押さえ部
５６  誘導面
【図１】
2008071655.tif 000003
【図２】
2008071655.tif 000004
【図３】
2008071655.tif 000005
【図４】
2008071655.tif 000006
【図５】
2008071655.tif 000007
【図６】
2008071655.tif 000008
【図７】
2008071655.tif 000009
【図８】
2008071655.tif 000010
【図９】
2008071655.tif 000011
【図１０】
2008071655.tif 000012
【図１１】
2008071655.tif 000013
【図１２】
2008071655.tif 000014
【図１３】
2008071655.tif 000015
【図１４】
2008071655.tif 000016
【図１５】
2008071655.tif 000017
【図１６】
2008071655.tif 000018
【図１７】
2008071655.tif 000019
【図１８】
2008071655.tif 000020
【図１９】
2008071655.tif 000021
【図２０】
2008071655.tif 000022
【図２１】
2008071655.tif 000023
【図２２】
2008071655.tif 000024